(57)【特許請求の範囲】
【請求項１】
平面上に配設される液晶セルに異なる色の光を照射することでカラー表示を行う液晶表示装置において、
液晶セルに対向する形態で設けられて、光源の発する白色光を伝送する導光板手段と、
上記導光板手段の液晶セルに対向する導光板面上に設けられて、上記導光板手段を伝送する特定の波長で特定の入射角を持つ光を特定の角度に回折させる体積型ホログラムで構成される回折格子手段と、
上記回折格子手段の回折する光を液晶セルに集光させる集光手段とを備え、
さらに、上記導光板手段に光を入射する光源が、蛍光管と、該蛍光管の発する光を該導光板手段の方向に反射する反射板と、該蛍光管と該反射板との間に該蛍光管を覆う形態で設けられる第１の透明媒体と、該第１の透明媒体と該蛍光管との間に設けられる該第１の透明媒体よりも小さな屈折率を持つ第２の透明媒体とで構成されることを、
特徴とする液晶表示装置。
【請求項２】
請求項１記載の液晶表示装置において、
上記第１の透明媒体と上記導光板手段とが一体的に構成されることを、
特徴とする液晶表示装置。
【請求項３】
請求項１又は２記載の液晶表示装置において、
上記集光手段が、レンズアレイで構成されることを、
特徴とする液晶表示装置。
【請求項４】
請求項１又は２記載の液晶表示装置において、
上記集光手段が、回折格子アレイで構成されることを、
特徴とする液晶表示装置。
【請求項５】
請求項１又は２記載の液晶表示装置において、
上記集光手段が、フレネルレンズアレイで構成されることを、
特徴とする液晶表示装置。
【請求項６】
平面上に配設される液晶セルに異なる色の光を照射することでカラー表示を行う液晶表示装置において、
液晶セルに対向する形態で設けられて、光源の発する白色光を伝送する導光板手段と、
上記導光板手段の液晶セルに対向する導光板面上に設けられて、上記導光板手段を伝送する特定の波長で特定の入射角を持つ光を特定の角度に回折させるとともに、該回折光を液晶セルに集光させる体積型ホログラムで構成される回折格子手段とを備え、
さらに、上記導光板手段に光を入射する光源が、蛍光管と、該蛍光管の発する光を該導光板手段の方向に反射する反射板と、該蛍光管と該反射板との間に該蛍光管を覆う形態で設けられる第１の透明媒体と、該第１の透明媒体と該蛍光管との間に設けられる該第１の透明媒体よりも小さな屈折率を持つ第２の透明媒体とで構成されることを、
特徴とする液晶表示装置。
【請求項７】
請求項６記載の液晶表示装置において、
上記第１の透明媒体と上記導光板手段とが一体的に構成されることを、
特徴とする液晶表示装置。
【請求項８】
請求項１ないし７のいずれか１項に記載の液晶表示装置において、
上記回折格子手段が、自手段を透過する光を自手段の界面で全反射するように構成されることを、
特徴とする液晶表示装置。
【請求項９】
請求項１ないし７のいずれか１項に記載の液晶表示装置において、
上記回折格子手段が、自手段の回折する光を自手段の界面で全反射させずに透過するように構成されることを、
特徴とする液晶表示装置。
【請求項１０】
請求項１ないし７のいずれか１項に記載の液晶表示装置において、
上記回折格子手段が、ブリュースターの反射条件を充足する回折光を回折するように構成されることを、
特徴とする液晶表示装置。
【請求項１１】
請求項１ないし１０のいずれか１項に記載の液晶表示装置において、
上記導光板手段の回折格子手段を持たない面が、拡散面形状で構成されることを、
特徴とする液晶表示装置。
【請求項１２】
請求項１ないし１０のいずれか１項に記載の液晶表示装置において、
上記導光板手段の回折格子手段を持たない面が、該回折格子手段に対して傾きを持つ平面で構成されることを、
特徴とする液晶表示装置。
【請求項１３】
請求項１ないし１０のいずれか１項に記載の液晶表示装置において、
上記導光板手段の回折格子手段を持たない面に、反射光の偏光方向を変える光機能手段が備えられることを、
特徴とする液晶表示装置。
【発明の詳細な説明】
【０００１】
【発明の属する技術分野】
本発明は、平面上に配設される液晶セルに異なる色の光を照射することでカラー表示を行う液晶表示装置に関し、特に、一層の小型化を実現する液晶表示装置に関する。
【０００２】
卓上型のコンピュータ装置に実装される液晶表示装置に対しては、コンピュータ装置の小型化に伴って一層の小型化が要求されるようになってきており、この要求に応える液晶表示装置の構築が叫ばれている。
【０００３】
【従来の技術】
液晶を使ってカラー表示を実現するためには、赤色（Ｒ）の表示用に用意される液晶セルに赤色の単色光を照射し、緑色（Ｇ）の表示用に用意される液晶セルに緑色の単色光を照射し、青色（Ｂ）の表示用に用意される液晶セルに青色の単色光を照射していく必要がある。
【０００４】
液晶セルは、この単色光を受け取ると、入射側と出射側に設けられる偏光方向の直交する２つの偏光子に従って、駆動電圧が印加されないときには、入射される単色光の偏光方向を回転させることで、その単色光を表示し、駆動電圧が印加されるときには、入射される単色光の偏光方向を回転させないことで、その単色光を表示しないように動作する。
【０００５】
最も早くに用いられた技術では、図１２に示すように、液晶セルに対応付けてＲＧＢのカラーフィルタを配設する構成を採ることで、平行光線に調整された白色光のバックライトから赤色／緑色／青色を取り出して、液晶セルに照射していくという構成を採っている。
【０００６】
しかしながら、このような技術に従っていると、カラーフィルタを透過する色成分が１色となり、残りの補色成分が損失となってしまうという問題点があった。
【０００７】
この問題点の解決を図るために、特開平６-308332 号では、図１３に示すように、波長依存性を持たないホログラム（回折格子）を使って、平行光線に調整された白色光の持つ赤色／緑色／青色を回折させて、それを液晶セルに照射していくことで、カラーフィルタを用いずにカラー表示を実現するという発明を開示した。
【０００８】
なお、この図のホログラムは、フレネルゾーンプレート状に形成されることで集光性を持つように構成されているので、この図に示すように、集光された光が液晶セルに照射されることになる。また、特開平６-308332 号では、０次の回折光に対処するために、この図と異なって、回折光の方向とバックライトの方向とが異なるように構成されている。
【０００９】
【発明が解決しようとする課題】
確かに、特開平６-308332 号で開示する液晶表示装置では、カラーフィルタを用いない構成となっていることから、カラーフィルタによる損失がなくなり、明るい表示を実現できるようになるものの、平行光線のバックライトを用いる必要があることから小型化できず、直視型の液晶表示装置には適用できないという問題点があった。
【００１０】
これから、この特開平６-308332 号で開示する液晶表示装置は、小型化の要求されるコンピュータ装置には適用できないという問題点があった。
更に、この特開平６-308332 号で開示する液晶表示装置では、０次の回折光に対処するために、回折光の方向とバックライトの方向とを異なるように構成しなければならず、装置の組み立て調整が複雑になるという問題点もあった。
【００１１】
本発明はかかる事情に鑑みてなされたものであって、平面上に配設される液晶セルに異なる色の光を照射することでカラー表示を行う構成を採るときにあって、一層の小型化を実現する新たな液晶表示装置の提供を目的とする。
【００１２】
【課題を解決するための手段】
この目的を達成するために、本発明の液晶表示装置では、平面上に配設される液晶セルに異なる色の光を照射することでカラー表示を行う構成を採るときにあって、液晶セルに対向する形態で設けられて、光源の発する白色光を伝送する導光板手段と、この導光板手段の液晶セルに対向する導光板面上に設けられて、この導光板手段を伝送する特定の波長で特定の入射角を持つ光を特定の角度に回折させる体積型ホログラムで構成される回折格子手段と、この回折格子手段の回折する光を液晶セルに集光させる集光手段とを備え、さらに、導光板手段に光を入射する光源が、蛍光管と、蛍光管の発する光を導光板手段の方向に反射する反射板と、蛍光管と反射板との間に蛍光管を覆う形態で設けられる第１の透明媒体と、第１の透明媒体と蛍光管との間に設けられる第１の透明媒体よりも小さな屈折率を持つ第２の透明媒体とで構成されるという構成を採る。
【００１３】
このように構成される本発明の液晶表示装置では、導光板手段の液晶セルに対向する導光板面上に、導光板手段を伝送する特定の波長で特定の入射角を持つ光を特定の角度に回折させる体積型ホログラムで構成される回折格子手段が備えられ、この回折格子手段が、異なる回折方向に赤色／緑色／青色の平行光線を回折し、これを受けて、レンズアレイや回折格子アレイやフレネルレンズアレイで構成される集光手段が、この赤色／緑色／青色の平行光線を液晶セルに集光する。
このとき、導光板手段に光を入射する光源が、蛍光管と、蛍光管の発する光を導光板手段の方向に反射する反射板と、蛍光管と反射板との間に蛍光管を覆う形態で設けられる第１の透明媒体と、第１の透明媒体と蛍光管との間に設けられる第１の透明媒体よりも小さい屈折率を持つ第２の透明媒体とで構成されているので、蛍光管から第１の透明媒体に出た光が反射板で反射されるときに、その反射光が第２の透明媒体で全反射することで、蛍光管に戻されるのを防げるようになる。
【００１４】
ここで、回折格子手段が、フレネルゾーンプレート状に形成されることで、回折光を液晶セルに集光させる機能を持つことがあり、このときには、集光手段を設ける必要はない。
【００１５】
このようにして、本発明の液晶表示装置は、カラーフィルタを省略してカラー表示を実現する構成を採るときにあって、平行光線のバックライトを用いずカラー表示を実現できるようになるので、一層の小型化を実現できるようになる。
【００１６】
この構成を採るときに、回折格子手段が、自手段を透過する光を自手段の界面で全反射するように構成されることがある。この構成を採ると、液晶セルに照射すべき光以外の光が液晶セルに照射されるのを防止できるようになる。
【００１７】
また、この構成を採るときに、回折格子手段が、自手段の回折する光を自手段の界面で全反射させずに透過するように構成されることがある。この構成を採ると、液晶セルに照射すべき光を確実に液晶セルに照射できるようになる。
【００１８】
また、この構成を採るときに、回折格子手段が、ブリュースターの反射条件を充足する回折光を回折するように構成されることがある。この構成を採ると、直線偏光した回折光が得られるので、液晶セルの入射側に設けられる偏光子を省略できるようになる。
【００１９】
更に、この構成を採るときに、導光板手段の回折格子手段を持たない面が、非平面形状で構成されたり、回折格子手段に対して傾きを持つ平面で構成されることがある。この構成を採ると、導光板手段を伝送する光の角度が変化していくことになるので、当初は回折条件を満たさなかった光がその後に満たすようになり、光の使用効率を高めることができるようになる。
【００２０】
また、この構成を採るときに、導光板手段の回折格子手段を持たない面に、反射光の偏光方向を変える光機能手段が備えられることがある。この構成を採ると、導光板手段を伝送する光の偏光面が回転していくことになるので、当初は回折条件を満たさなかった光がその後に満たすようになり、光の使用効率を高めることができるようになる。
【００２３】
【発明の実施の形態】
以下、実施の形態に従って本発明を詳細に説明する。
図１に、本発明の液晶表示装置の基本的な装置構成部分についての一実施例を図示する。
【００２４】
この図に示すように、本発明の液晶表示装置は、平面上に配設される液晶セル１に対向する形態で設けられて、光源の発する白色光を多重反射させつつ伝送するガラス等で構成される導光板１０と、導光板１０の液晶セル１に対向する面上に設けられて、導光板１０を伝送する特定の波長で特定の入射角を持つ光を特定の角度に回折させる体積ホログラム１１と、ＲＧＢ用の液晶セル１の１単位に対応付けて設けられるマイクロレンズのアレイで構成されて、体積ホログラム１１の回折する光を液晶セル１に集光させるマイクロレンズアレイ１２とで構成されることを基本的な構成とする。
【００２５】
ここで、マイクロレンズアレイ１２は、成型により作成可能なフレネルレンズのアレイであってもよく、このフレネルレンズのアレイを用いれば、成型により製造できるようになるので安価な装置とすることができる。
【００２６】
体積ホログラム１１は、感光乾板に対して、物体光と逆の方向から参照光を入射することで作成されるものであって、この作成方法に従って、図１に示すように、感光乾板の厚さ方向に屈折率差を持つ干渉縞が形成されることになる。
【００２７】
この干渉縞により、体積ホログラム１１は、干渉縞の層間隔をｄ、干渉縞への光の入射角をθ、光の波長をλで表すならば、よく知られているように、
２ｄ・ｓｉｎθ＝λ
というブラック角条件に従って、図２に示すように、特定の波長で特定の入射角を持つ光を特定の角度に回折させ、それ以外の光を透過させることになる。
【００２８】
このように、体積ホログラム１１は、カラー表示に必要となる赤色／緑色／青色の光を平行光線にしてそれぞれ別々の角度で出射するように動作するので、これを受けて、マイクロレンズアレイ１２は、赤色／緑色／青色の光の集光位置をＲＧＢ用の３つの液晶セル１にそれぞれ対応させることによって、体積ホログラム１１により出射される赤色の平行光線を赤色用に用意される液晶セル１に照射し、体積ホログラム１１により出射される緑色の平行光線を緑色用に用意される液晶セル１に照射し、体積ホログラム１１により出射される青色の平行光線を青色用に用意される液晶セル１に照射する。
【００２９】
この構成に従って、本発明の液晶表示装置では、カラーフィルタを省略できるようになって、光の使用効率を３倍程度向上できるようになるとともに、平行光線のバックライトを用いずカラー表示を実現できるようになるので、極めて小型なものとすることができるようになる。
【００３０】
図３及び図４に、本発明の液晶表示装置の基本的な装置構成部分についての他の実施例を図示する。
図３に示す本発明の液晶表示装置は、マイクロレンズアレイ１２に代えて、ＲＧＢ用の液晶セル１の１単位に対応付けて設けられる回折格子のアレイで構成される回折格子アレイ１３を用いている。
【００３１】
この回折格子アレイ１３は、ホログラムで構成され、図５に示すように、干渉縞がフレネルゾーンプレート状に形成されることで集光性を持つ。
この集光性に従って、回折格子アレイ１３は、マイクロレンズアイレ１２と同様に、体積ホログラム１１により出射される赤色の平行光線を赤色用に用意される液晶セル１に照射し、体積ホログラム１１により出射される緑色の平行光線を緑色用に用意される液晶セル１に照射し、体積ホログラム１１により出射される青色の平行光線を青色用に用意される液晶セル１に照射することで、カラー表示を実現する。
【００３２】
この実施例に従うと、回折格子アレイ１３による回折に従って、光の分離角を大きくすることが可能になるので、液晶セル１の大きな液晶表示装置や、薄型の液晶表示装置にも対応できるという利点がある。
【００３３】
数値の一例を示せば、液晶セル１の画素ピッチが１００μｍで、液晶セル１と回折格子アレイ１３との距離が１.1ｍｍであるときには、体積ホログラム１１の回折角度θが赤色で２８度、緑色で２０度、青色で１２度となるようにし、回折格子アレイ１３の回折角度が赤色で５度、緑色で０度、青色で５度となるようにすることで、これを実現できることになる。
【００３４】
また、図４に示す本発明の液晶表示装置は、体積ホログラム１１の代わりに集光性体積ホログラム１１ａを用いることで、マイクロレンズアレイ１２を省略することを実現している。
【００３５】
この集光性体積ホログラム１１ａは、体積ホログラム１１にマイクロレンズアレイ１２の集光性を持たせたもので、図６に示すように、マイクロレンズアレイ１２を正規の位置に配置するとともに、導光板１０の下面にプリズムを配置する構成を採って、液晶セル１に対応付けられるピンホールから照射する光束１と、プリズム側から照射する光束２とを使って、導光板１０の上面に配置される感光乾板に干渉縞を露光することで生成される。
【００３６】
以上に説明したように、本発明の液晶表示装置は、体積ホログラム１１を使って、導光板１０を伝送する特定の波長で特定の入射角を持つ光を特定の角度に回折させることで、液晶セル１に照射する赤色／緑色／青色の平行光線を作り出す構成を採っている。
【００３７】
これから、体積ホログラム１１により回折される光を体積ホログラム１１から出射させていく必要があるとともに、体積ホログラム１１により回折されない透過光を体積ホログラム１１から出射させないようにしていく必要がある。次に、これを実現するための条件について説明する。
【００３８】
図７に示すように、体積ホログラム１１の干渉縞の傾き角度をΦ、回折光の回折角度をθ（＝ｓｉｎ-1（λ／２ｄ))とするならば、
角度ｂａｃ＝π／２−θ
であり、
角度ａｂｇ＝角度ｂａｃ＋Φ，角度ａｂｃ＝π／２−角度ａｂｇ
であることから、
角度ａｂｃ＝θ−Φ
が成立する。
【００３９】
体積ホログラム１１により回折される光が体積ホログラム１１から出射されるためには、この回折光が体積ホログラム１１の界面で全反射されない必要がある。
【００４０】
このためには、「角度ａｂｃ」が臨界角Ａよりも小さい必要がある。ここで、臨界角Ａは、体積ホログラム１１の屈折率をｎ1 、空気中の屈折率をｎ0 で表すならば、
Ａ＝ｓｉｎ-1（ｎ0 ／ｎ1 ）
となる。
【００４１】
これから、体積ホログラム１１により回折される光が体積ホログラム１１から出射されるためには、
θ−Φ＜ｓｉｎ-1（ｎ0 ／ｎ1 ）
を満たす必要がある。
【００４２】
従って、このような条件を満たす体積ホログラム１１を作成することで、体積ホログラム１１により回折される光を体積ホログラム１１から出射させていくことができる。
【００４３】
一方、
角度ｄａｅ＝π／２−θ
であり、
角度ｄｅａ＝Φ−角度ｄａｅ，角度ａｅｆ＝π／２−角度ｄｅａ
であることから、
角度ａｅｆ＝π−Φ−θ
が成立する。
【００４４】
体積ホログラム１１により回折されない透過光が体積ホログラム１１から出射されないためには、この透過光が体積ホログラム１１の界面で全反射される必要がある。このためには、「角度ａｅｆ」が上述の臨界角Ａよりも小さい必要がある。
【００４５】
これから、体積ホログラム１１により回折されない透過光が体積ホログラム１１から出射されないためには、
π−Φ−θ≧ｓｉｎ-1（ｎ0 ／ｎ1 ）
を満たす必要がある。
【００４６】
従って、このような条件を満たす体積ホログラム１１を作成することで、体積ホログラム１１により回折されない光を体積ホログラム１１から出射させないようにできる。
【００４７】
上述したように、液晶セル１は、入射側と出射側に設けられる偏光方向の直交する２つの偏光子を使って、駆動電圧が印加されていないときには、入射される単色光の偏光方向を回転させることで、その単色光を表示し、駆動電圧が印加されるときには、入射される単色光の偏光方向を回転させないことで、その単色光を表示しないように動作する。
【００４８】
従って、液晶セル１に入射される光が直線偏光されている場合には、入射側に設けられる偏光子を省略できる。この直線偏光は、ブリュースターの反射条件を利用することで実現できる。
【００４９】
すなわち、屈折率ｎA から屈折率ｎB に入射する光の入射角がθであるときに、
ｔａｎθ＝ｎAB      但し、ｎABは、ｎB のｎA に対する屈折率
というブリュースターの反射条件が成立するときには、図８に示すように、反射光はｓ成分のみとなって直線偏光する。
【００５０】
体積ホログラム１１を構成する干渉縞の屈折率の違いは僅かであることから、このブリュースターの反射条件は、具体的には、「ｔａｎθ≒１」というとき、すなわち、「θ≒π／４＝４５度」というときに成立することになる。
【００５１】
上述したように、
２ｄ・ｓｉｎθ＝λ
が成立することから、このブリュースターの反射条件を満たす波長λ0 は、
λ0 ＝２ｄ×ｓｉｎ（π／４）
となる。
【００５２】
この波長λ0 が、カラー表示に用いる赤色か緑色か青色と一致すれば、その色に対応付けられる液晶セル１の入射側に設けられる偏光子を省略できる。従って、体積ホログラム１１の干渉縞の層間隔ｄをそのように生成することで、液晶セル１の入射側に設けられる偏光子を省略できるようになる。
【００５３】
次に、導光板１０について説明する。
導光板１０は、ガラス等で構成されて、光源の発する白色光を多重反射しつつ伝送していくように処理するものであり、この白色光の伝送を受けて、上述したように、体積ホログラム１１は、この導光板１０を伝送する特定の波長で特定の入射角を持つ光を特定の角度に回折させていく。
【００５４】
この光の使用効率を高めるために、導光板１０は、図９（ａ）に示すように、その下面を非平面形状（拡散面形状）に形成したり、図９（ｂ）に示すように、その下面が傾きを持つように形成することが好ましい。
【００５５】
このように構成されていると、反射する度に角度を変えていくことになるので、当初は回折条件を満たさなかった光でも、導光板１０を進行して反射を繰り返していく間に回折条件を満たすようになり、これにより、光の使用効率を高められるようになる。
【００５６】
また、導光板１０は、図９（ｃ）に示すように、その下面に、光の偏光面を回転させる位相差板１４（例えば、延伸された複屈折性を有するポリマーフィルム）を配置することが好ましい。
【００５７】
このように構成されていると、反射する度に光の偏光面が回転して、当初は回折条件を満たさなかった光でも、導光板１０を進行して反射を繰り返していく間に回折条件を満たすようになり、これにより、光の使用効率を高められるようになる。例えば、光のｐ成分がｓ成分に変換されることで、ブリュースターの反射条件を充足するｓ成分が補給されて、光の使用効率を高められるようになる。
【００５８】
次に、導光板１０に白色光を入射する光源について説明する。
導光板１０に白色光を入射する場合、従来技術では、図１１に示すように、光源として蛍光管１５を用いるとともに、この蛍光管１５の発する光を導光板１０に入射させる半円筒形状の反射板１６を備える構成を採っている。
【００５９】
しかしながら、このような従来技術に従っていると、反射板１６により反射される光が蛍光管１５にも入り込み、蛍光管１５に吸収されることで光の損失が発生することになる。
【００６０】
これに対処するために、本発明の液晶表示装置は、図１０（ａ）に示すように、反射板１６と蛍光管１５の間に大きな屈折率を持つ第１の透明媒体１７を配置するとともに、この第１の透明媒体１７と蛍光管１５の間に、第１の透明媒体１７の屈折率よりも小さな屈折率を持つ空気等のような第２の透明媒体１８を備える構成を採る。
【００６１】
この構成を採ると、第１の透明媒体１７から第２の透明媒体１８を介して蛍光管１５に戻される光が全反射して、蛍光管１５に入り込まなくなることで、従来技術の持つ問題点を解決できるようになる。そして、従来技術よりも様々な入射角度を持つ白色光が導光板１０に入射されるようになるために、回折条件を満たす光が導光板１０に入射されるようになって、光の使用効率を高められるようになる。
【００６２】
図１０（ａ）に示す実施例では、第１の透明媒体１７と導光板１０とを別物とする構成を採ったが、図１０（ｂ）に示すように、第１の透明媒体１７と導光板１０とを一体的に形成すると、界面がなくなることで、光の使用効率を一層高められるようになる。
【００６３】
この構成を採るときに、第２の透明媒体１８として、エチレングリコール等のような高い熱伝導率の物質を用いると、放熱効果が高められることで蛍光管１５の温度上昇を抑えることができる。
【００６４】
また、本発明の液晶表示装置では、導光板１０の持つ光の入射面が、拡散面形状で構成されることがある。この構成を採ると、導光板１０に入射する光の角度が様々なものになるので、回折条件を満たす光が多くなって、光の使用効率を高めることができるようになる。
なお、図１１に示す従来技術に従う場合にあっても、図１０（ｃ）に示すように、導光板１０の持つ光の入射面を非平面形状（拡散面形状）に形成すると、導光板１０に様々な角度の白色光が入射されるようになるために、回折条件を満たす光が導光板１０に入射されるようになって、光の使用効率を高められるようになる。
【００６５】
【発明の効果】
以上説明したように、本発明の液晶表示装置によれば、カラーフィルタを省略してカラー表示を実現する構成を採るときにあって、平行光線のバックライトを用いず液晶セルに単色光を照射できることでカラー表示を実現できるようになるので、一層の小型化を実現できるようになる。
【００６６】
そして、本発明の液晶表示装置によれば、この小型化を実現するときにあって、液晶セルに照射すべき光以外の光が液晶セルに照射されるのを防止できるようになるとともに、液晶セルに照射すべき光を確実に液晶セルに照射できるようになる。
【００６７】
そして、本発明の液晶表示装置によれば、この小型化を実現するときにあって、液晶セルの入射側に設ける必要のある偏光子を省略できるようになる。
そして、本発明の液晶表示装置によれば、この小型化を実現するときにあって、光の使用効率を高めることができるようになる。
【図面の簡単な説明】
【図１】  本発明の基本的な装置構成部分についての一実施例である。
【図２】体積ホログラムの説明図である。
【図３】  本発明の基本的な装置構成部分についての他の実施例である。
【図４】  本発明の基本的な装置構成部分についての他の実施例である。
【図５】回折格子アレイの説明図である。
【図６】体積ホログラムの作成方法の説明図である。
【図７】体積ホログラムの説明図である。
【図８】ブリュースター角での回折効率の説明図である。
【図９】導光板の一実施例である。
【図１０】光源の一実施例である。
【図１１】光源の従来技術の説明図である。
【図１２】従来技術の説明図である。
【図１３】従来技術の説明図である。
【符号の説明】
１      液晶セル
１０    導光板
１１    体積ホログラム
１１ａ  集光性体積ホログラム
１２    マイクロレンズアレイ
１３    回折格子アレイ
【図１】
0003688845.tif 000002
【図２】
0003688845.tif 000003
【図３】
0003688845.tif 000004
【図４】
0003688845.tif 000005
【図５】
0003688845.tif 000006
【図６】
0003688845.tif 000007
【図７】
0003688845.tif 000008
【図８】
0003688845.tif 000009
【図９】
0003688845.tif 000010
【図１０】
0003688845.tif 000011
【図１１】
0003688845.tif 000012
【図１２】
0003688845.tif 000013
【図１３】
0003688845.tif 000014